(57)【要約】【課題】操業時の負荷変動が頻繁に生じる加熱炉において、燃焼空気の圧力変動を抑制して適切な空気比を維持することが可能な加熱炉の燃焼空気圧力制御方法を提供する。【解決手段】加熱炉のバーナに燃焼空気を供給する管路２６上に配置された燃焼空気圧力ダンパ２９と燃焼空気ブロワ３０を用いて該燃焼空気の圧力を制御する方法であって、燃焼空気圧力ダンパ２９が維持すべき目標開度範囲を設定し、燃焼空気圧力ダンパ２９の開度が前記目標開度範囲の下限値を下回った場合、燃焼空気ブロワ３０の回転数を現状より下げて、燃焼空気圧力ダンパ２９の開度が前記目標開度範囲に入るように制御し、燃焼空気圧力ダンパ２９の開度が前記目標開度範囲の上限値を上回った場合、燃焼空気ブロワ３０の回転数を現状より上げて、燃焼空気圧力ダンパ２９の開度が前記目標開度範囲に入るように制御する。【選択図】図２
2013221677.tif 000002
【特許請求の範囲】
【請求項１】
加熱炉のバーナに燃焼空気を供給する管路上に配置された燃焼空気圧力ダンパと燃焼空気ブロワを用いて該燃焼空気の圧力を制御する方法であって、
前記燃焼空気圧力ダンパが維持すべき目標開度範囲を設定し、
前記燃焼空気圧力ダンパの開度が前記目標開度範囲の下限値を下回った場合、前記燃焼空気ブロワの回転数を現状より下げて、前記燃焼空気圧力ダンパの開度が前記目標開度範囲に入るように制御し、
前記燃焼空気圧力ダンパの開度が前記目標開度範囲の上限値を上回った場合、前記燃焼空気ブロワの回転数を現状より上げて、前記燃焼空気圧力ダンパの開度が前記目標開度範囲に入るように制御することを特徴とする加熱炉の燃焼空気圧力制御方法。
【請求項２】
請求項１記載の加熱炉の燃焼空気圧力制御方法において、前記燃焼空気圧力ダンパの開度が前記目標開度範囲内にあるとき、前記燃焼空気圧力ダンパの開度が前記目標開度範囲の上限値に近づくように前記空気ブロワの回転数を制御することを特徴とする加熱炉の燃焼空気圧力制御方法。
【発明の詳細な説明】
【技術分野】
【０００１】
本発明は、加熱炉のバーナに供給される燃焼空気の制御方法に関し、特に燃焼空気圧力の制御方法に関する。
【背景技術】
【０００２】
加熱炉のバーナに供給される燃焼空気の流量は、各燃焼帯（燃焼ゾーン）ごとに設置された流量調節弁の開度だけでなく、燃焼空気の圧力も決定因子となる。例えば、燃焼空気の流量調節弁の開度が同じでも、燃焼空気の圧力が高ければ、大量の燃焼空気が流れ、逆に燃焼空気の圧力が低ければ、少量の燃焼空気が流れる。従って、加熱炉の操業では、燃焼空気の圧力が安定するように制御することが重要となる。
【０００３】
高炉ユーザで使用される加熱炉のように、操業時の負荷変動が長期間に亘って少ない加熱炉では、外気から燃焼空気を取り込む燃焼空気ブロワの回転数を制御することにより、燃焼空気圧力の制御を行うことが一般的である。
例えば、特許文献１では、燃焼帯ごとに求めた燃焼空気圧力のうち最大の空気圧力と、送風機（燃焼空気ブロワ）とヘッダ間で受ける圧損との和の空気圧力を演算し、算出された和の空気圧力となるように送風機の回転数を制御する方法が開示されている。
【０００４】
また、特許文献２では、燃焼空気ヘッダーからコントロールダンパを介して複数のバーナに燃焼空気を供給する燃焼炉において、各コントロールダンパのうち最大開度が目標開度になるように、燃焼空気ブロワの回転数を制御することにより燃焼空気ヘッダー圧力を制御する方法が開示されている。
なお、本明細書における「回転数」は、単位時間当たりの回転数のことである。
【先行技術文献】
【特許文献】
【０００５】
【特許文献１】特開昭５９−０７６８２０号公報
【特許文献２】特開２０１１−０８０７００号公報
【発明の概要】
【発明が解決しようとする課題】
【０００６】
しかしながら、特許文献１や特許文献２に記載されているような、燃焼空気ブロワの回転数制御による燃焼空気圧力の制御は、応答性が悪いという課題がある。そのため、電気炉ユーザで使用される加熱炉、特にリジェネバーナ（リジェネレイティブバーナ）式加熱炉のように、炉全体の燃焼起動・停止、燃焼ゾーンあるいはバーナごとの点火・消火の頻度が多く、操業時の負荷変動が頻繁に生ずる加熱炉において、燃焼空気ブロワの回転数制御によって燃焼空気圧力の制御を行った場合、適切な空気比（実空気量／理論空気量）を維持できずに燃焼空気が過多となり、燃焼に寄与しない空気中の酸素により炉内の被加熱材（鋼材）表面に酸化鉄が生じて製品歩留りが悪化したり、逆に燃焼空気が過少となり、未燃状態となって黒煙が発生し、環境を汚染するという問題があった。
【０００７】
本発明はかかる事情に鑑みてなされたもので、操業時の負荷変動が頻繁に生じる加熱炉において、燃焼空気の圧力変動を抑制して適切な空気比を維持することが可能な加熱炉の燃焼空気圧力制御方法を提供することを目的とする。
【課題を解決するための手段】
【０００８】
上記目的を達成するため、本発明は、加熱炉のバーナに燃焼空気を供給する管路上に配置された燃焼空気圧力ダンパと燃焼空気ブロワを用いて該燃焼空気の圧力を制御する方法であって、
前記燃焼空気圧力ダンパが維持すべき目標開度範囲を設定し、
前記燃焼空気圧力ダンパの開度が前記目標開度範囲の下限値を下回った場合、前記燃焼空気ブロワの回転数を現状より下げて、前記燃焼空気圧力ダンパの開度が前記目標開度範囲に入るように制御し、
前記燃焼空気圧力ダンパの開度が前記目標開度範囲の上限値を上回った場合、前記燃焼空気ブロワの回転数を現状より上げて、前記燃焼空気圧力ダンパの開度が前記目標開度範囲に入るように制御することを特徴としている。
【０００９】
外気を燃焼空気として取り込む燃焼空気ブロワの回転数を制御することにより燃焼空気の圧力を制御した場合、１０回転／秒程度でしか燃焼空気ブロワの回転数を増減することができない。そのため、燃焼負荷が急激に変化した際、即ち燃焼空気量が急激に変化した際、燃焼空気圧力の制御に時間が掛かるという問題がある。
【００１０】
一方、燃焼空気をバーナに供給する管路上に燃焼空気圧力ダンパを設置し、燃焼空気圧力ダンパを開閉させて弁体の圧力損失を増減させることで燃焼空気の圧力を制御した場合、燃焼空気ブロワの回転数制御に比べて応答性は良いが、燃焼空気圧力ダンパを閉じることで圧力損失が増え、エネルギーロスが大きくなるという問題がある。
また、燃焼空気圧力ダンパの開度が小さいと、僅かな開度動作量に対して流体の変化量が大きいため制御性が悪く、逆に燃焼空気圧力ダンパの開度が大きいと、開度動作量を大きくしても流体の変化量が殆ど無いため、流体の制御ができないという問題もある。
【００１１】
そこで、本発明では、制御性及び制御応答性の良い目標開度範囲を予め設定しておき、燃焼空気圧力ダンパの開度が前記目標開度範囲を外れた場合に、燃焼空気ブロワの回転数を制御することにより、燃焼空気圧力ダンパの開度が前記目標開度範囲に入るように制御することとした。具体的には、燃焼空気圧力ダンパの開度が前記目標開度範囲の下限値を下回った場合、燃焼空気ブロワの回転数を現状より下げると、燃焼空気の圧力が低下するので、燃焼空気圧力ダンパの開度が大きくなる。逆に、燃焼空気圧力ダンパの開度が前記目標開度範囲の上限値を上回った場合、前記燃焼空気ブロワの回転数を現状より上げると、燃焼空気の圧力が上昇するので、燃焼空気圧力ダンパの開度が小さくなる。
【００１２】
また、本発明に係る加熱炉の燃焼空気圧力制御方法では、前記燃焼空気圧力ダンパの開度が前記目標開度範囲内にあるとき、前記燃焼空気圧力ダンパの開度が前記目標開度範囲の上限値に近づくように前記燃焼空気ブロワの回転数を制御することが好ましい。
【００１３】
当該構成では、予め設定した目標開度範囲内で燃焼空気圧力ダンパの開度を、より大きくする制御を行うことにより、燃焼空気圧力ダンパによる圧力損失に加えて燃焼空気ブロワを駆動するモータの動力が低減され、電力原単位の削減が図れる。
【発明の効果】
【００１４】
本発明に係る加熱炉の燃焼空気圧力制御方法では、制御性及び制御応答性の良い目標開度範囲を予め設定しておき、燃焼空気圧力ダンパの開度が前記目標開度範囲を外れた場合に、燃焼空気ブロワの回転数を制御することにより、燃焼空気圧力ダンパの開度が前記目標開度範囲に入るように制御するので、操業時の負荷変動が頻繁に生じる加熱炉における燃焼空気の圧力変動が抑制され、適切な空気比を維持することができる。その結果、被加熱材の表面に生ずる酸化鉄が減少して製品歩留りが向上すると共に、黒煙の発生による環境汚染が防止される。
【図面の簡単な説明】
【００１５】
【図１】リジェネバーナを備える加熱炉の燃料、燃焼空気、及び燃焼排ガスの各配管系統図である。
【図２】本発明の一実施の形態に係る加熱炉の燃焼空気圧力制御方法を説明するための制御フロー図である。
【図３】制御２を実行した際の燃焼空気圧力ダンパの開度及び燃焼空気ブロワ回転数の時刻歴変化を表したグラフであり、（Ａ）は燃焼空気量が急激に減少した場合、（Ｂ）は燃焼空気量が急激に増加した場合をそれぞれ示している。
【図４】制御２に加えて制御３を実行した際の燃焼空気圧力ダンパの開度及び燃焼空気ブロワ回転数の時刻歴変化を表したグラフであり、（Ａ）は燃焼空気量が急激に減少した場合、（Ｂ）は燃焼空気量が急激に増加した場合をそれぞれ示している。
【発明を実施するための形態】
【００１６】
続いて、添付した図面を参照しつつ、本発明を具体化した実施の形態に付き説明し、本発明の理解に供する。
【００１７】
本発明の一実施の形態に係る加熱炉の燃焼空気圧力制御方法が適用される加熱炉１０の燃料、燃焼空気、及び燃焼排ガスの各配管系統図を図１に示す。なお、燃料切替弁１３、燃焼空気切替弁１４、排ガス切替弁１５の記号は、白抜きが開状態、黒塗りが閉状態をそれぞれ表している。
本実施の形態における加熱炉１０は、複数のリジェネバーナ１１（リジェネレイティブバーナ）を備えた燃焼ゾーンを１又は複数有する加熱炉である。各リジェネバーナ１１は、燃焼時に発生した燃焼排ガスの廃熱を蓄熱するための蓄熱体１２を内蔵している。蓄熱体１２に蓄えられた熱は、リジェネバーナ１１に供給される燃焼空気の予熱に使用される。
【００１８】
各リジェネバーナ１１は、燃焼と蓄熱を交互に繰り返す交番燃焼を行う。燃焼時は、燃料切替弁１３と燃焼空気切替弁１４を開にし、排ガス切替弁１５を閉にする。これにより、燃焼空気が蓄熱体１２を通過し、蓄熱体１２に蓄熱された熱で燃焼空気が予熱される。蓄熱時は、逆に燃料切替弁１３と燃焼空気切替弁１４を閉にし、排ガス切替弁１５を開にする。これにより、炉内の燃焼排ガスがリジェネバーナ１１から排ガス吸引ファン３２で吸引され、燃焼排ガスの廃熱が蓄熱体１２に蓄熱される。
【００１９】
燃焼空気本管２６の管路上に配置された燃焼空気ブロワ３０により燃焼空気本管２６に取り込まれた外気が、リジェネバーナ１１に供給される燃焼空気となる。本実施の形態では、燃焼空気の圧力を制御するための燃焼空気圧力ダンパ２９が燃焼空気ブロワ３０の上流側に設置されている。燃焼空気ブロワ３０により燃焼空気本管２６に取り込まれる燃焼空気は、燃焼空気圧力ダンパ２９によって圧力が調節された後、燃焼空気本管２６から各燃焼ゾーンへ分岐する燃焼空気支管２１を経由し、各リジェネバーナ１１に供給される。
また、同様に、燃料は、燃料圧力調節弁２８によって圧力が調節された後、燃料本管２５から各燃焼ゾーンへ分岐する燃料支管１８を経由し、各リジェネバーナ１１に供給される。
一方、加熱炉１０内の燃焼排ガスは、排ガス本管２７の末端部に配置された排ガス吸引ファン３２によって吸引され、煙道３３を経由し、煙突３４から排出される。
【００２０】
なお、各燃焼ゾーンの燃焼空気支管２１、燃料支管１８、排ガス支管２４の各管路上には、流量を測定、調節するための燃焼空気流量計２０、燃焼空気流量調節弁１９、燃料流量計１７、燃料流量調節弁１６、排ガス流量計２３、排ガス流量調節弁２２がそれぞれ設置されている。また、排ガス本管２７の末端部に配置された排ガス吸引ファン３２の上流側には、燃焼排ガスの圧力を調整するための排ガス圧力ダンパ３１が設置されている。
【００２１】
次に、本実施の形態に係る加熱炉の燃焼空気圧力制御方法について、図２の制御フロー図を用いて説明する。
図２に示すように、本燃焼空気圧力制御方法は、制御１、制御２、及び制御３の３つの制御系統から大きく構成されており、制御１が従来から用いられているダンパ開度制御、制御２が本願の請求項１に係る発明、制御３が本願の請求項２に係る発明にそれぞれ対応している。
【００２２】
［制御１］
制御１では、燃焼空気圧力ダンパ２９の開度調節を行うことにより燃焼空気圧力の制御が行われる。
燃焼空気圧力ダンパ２９の開度は燃焼空気圧力調節計３８によって制御される。燃焼空気圧力調節計３８には、燃焼空気本管２６の管路上に設置された圧力発信器３７によって計測された燃焼空気の実圧力値ＰＶ（ｋＰａ）が入力され、燃焼空気圧力設定値ＳＰ（ｋＰａ）と比較される。そして、ＰＶ＝ＳＶとなるように、開度指示値ＯＰ（％）が燃焼空気圧力ダンパ２９を作動するアクチュエータ（図示省略）に出力される。
なお、燃焼空気圧力設定値ＳＰは、燃焼負荷等によって自動的に決まるようにしても良いし、オペレータが設定しても良い。
【００２３】
［制御２］
制御２では、予め設定した目標開度範囲内に燃焼空気圧力ダンパ２９の開度をおさめるため、燃焼空気ブロワ３０の回転数制御が行われる。
燃焼空気圧力ダンパ２９は、開度が小さいところでは、僅かな開度動作量に対して流体の変化量が大きいため制御性が悪く、逆に開度が大きいところでは、開度動作量を変化させても流体の変化量が殆ど無いため、流体の制御ができない。そのため、操業時の負荷変動が大きい場合に、燃焼空気圧力ダンパ２９で燃焼空気圧力の制御を行うためには、燃焼空気圧力ダンパ２９の開度を常時、制御性及び制御応答性の良い目標開度範囲内におさめておく必要がある。以下では、この制御性及び制御応答性の良い目標開度範囲を３０％〜６０％として説明する。
なお、以下のＳＴ１〜ＳＴ４の処理は、図示していない制御盤により実行される。
【００２４】
制御２の手順は以下のようになる。
（１）燃焼空気圧力調節計３８から出力されるダンパ開度指示値ＯＰ（％）と、回転数制御調節計３９に入力されるダンパ開度設定値ＳＰＤ（％）との相関関係を定めたグラフ（ＳＴ１参照）に基づいて、ダンパ開度設定値ＳＰＤが決定される。
（２）ダンパ開度設定値ＳＰＤが、切替スイッチ４０を介して回転数制御調節計３９に入力される。なお、切替スイッチ４０はＳＷ１とされている。
（３）回転数制御調節計３９において、ダンパ開度設定値ＳＰＤとダンパ実開度ＰＶＤ（ダンパ開度指示値ＯＰ）とが比較され、その結果に基づいて回転数制御調節計３９の出力が算出される。
（４）回転数制御調節計３９の出力（回転数指示値）がインバータ盤３６に入力され、燃焼空気ブロワ３０を駆動するモータ３５の回転数がインバータ盤３６によって制御される。
【００２５】
具体的には以下のようになる。
（ａ）開度指示値ＯＰが３０％〜６０％の範囲内にある場合
ダンパ開度設定値ＳＰＤは、ダンパ開度指示値ＯＰと同じ値に設定され、回転数制御調節計３９において、ダンパ実開度ＰＶＤ（ダンパ開度指示値ＯＰ）と比較される。この場合、ＰＶＤ＝ＳＰＤとなり、回転数制御調節計３９からインバータ盤３６への出力は変化しない。つまり、燃焼空気ブロワ３０（モータ３５）の回転数は変化しない。
【００２６】
（ｂ）開度指示値ＯＰが３０％未満の場合
ダンパ開度設定値ＳＰＤは３０％に設定され、回転数制御調節計３９において、ダンパ実開度ＰＶＤ（ダンパ開度指示値ＯＰ）と比較される。この場合、ＰＶＤ＜ＳＰＤとなり、ＰＶＤをＳＰＤまで増加させるため、燃焼空気ブロワ３０（モータ３５）の回転数を下げる制御出力が回転数制御調節計３９からインバータ盤３６に出力される。
【００２７】
（ｃ）開度指示値ＯＰが６０％超の場合
ダンパ開度設定値ＳＰＤは６０％に設定され、回転数制御調節計３９において、ダンパ実開度ＰＶＤ（ダンパ開度指示値ＯＰ）と比較される。この場合、ＰＶＤ＞ＳＰＤとなり、ＰＶＤをＳＰＤまで減少させるため、燃焼空気ブロワ３０（モータ３５）の回転数を上げる制御出力が回転数制御調節計３９からインバータ盤３６に出力される。
【００２８】
ここで、目標開度範囲の設定方法について説明しておく。
先ず、燃焼空気圧力ダンパ２９の制御特性から、全開及び全閉に近い開度を除いた範囲を、燃焼空気圧力ダンパ２９の流量特性グラフをもとに設定する。例えば、開度７０％〜１００％、０％〜２０％を除いた２０％〜７０％を開度範囲とする。しかし、この開度範囲を目標開度範囲とすると、この開度範囲を外れたときの制御性及び制御応答性が良くないため、開度範囲を少し狭めた範囲、例えば３０％〜６０％を目標開度範囲とする。
【００２９】
［制御３］
制御２では、燃焼空気圧力ダンパ２９の開度が目標開度範囲内におさまると、燃焼空気ブロワ３０の回転数は固定され、ダンパ開閉制御のみによる圧力制御になる。燃焼負荷が安定する、即ち燃焼空気の流量及び圧力が安定した操業状況になると、あるダンパ開度付近でのみ燃焼空気の圧力制御が行われる。制御３では、予め設定した目標開度範囲内で燃焼空気圧力ダンパ２９の開度が、より大きくなるように、燃焼空気ブロワ３０の回転数を制御することで、省エネルギー運転を実現する。
【００３０】
制御３の手順は以下のようになる。
（１）燃焼空気圧力ダンパ２９の開度が目標開度範囲内にあるか否か判断する（ＳＴ２）。
（２）燃焼空気圧力ダンパ２９の開度が目標開度範囲内にある場合、タイマ４１で設定した時間経過後、ダンパ開度設定値ＳＰＤが６０％に設定され（ＳＴ３）、切替スイッチ４０のスイッチがＳＷ２に切り替えられる。これは、燃焼空気圧力ダンパ２９の開度が目標開度範囲から外れる、即ち燃焼負荷の大きな変動が起こった場合、圧力制御自体が不安定な状態であるため、先ず制御２により、燃焼空気圧力ダンパ２９の開度が目標開度範囲に入った後、圧力変動及び圧力制御が安定してから省エネルギー運転の制御を開始するためである。
【００３１】
（３）ダンパ開度設定値ＳＰＤ＝６０％とダンパ実開度ＰＶＤ（ダンパ開度指示値ＯＰ）とが比較され、その結果（ＳＰＤ＞ＰＶＤ）に基づいて回転数制御調節計３９の出力は、回転数を小さくする方向に制御される。
（４）回転数制御調節計３９の出力がインバータ盤３６に入力され、燃焼空気ブロワ３０を駆動するモータ３５の回転数がインバータ盤３６によって制御される。
【００３２】
（５）なお、燃焼空気圧力ダンパ２９の開度が目標開度範囲外にある場合は、ダンパ開度設定値ＳＰＤ＝６０％がリセットされ（ＳＴ４）、切替スイッチ４０のスイッチはＳＷ１に切り替えられて制御２が実行される。
【００３３】
図３は、制御２を実行した際の燃焼空気圧力ダンパ２９の開度及び燃焼空気ブロワ３０の回転数の時刻歴変化を示したグラフである。図３（Ａ）に示すように、燃焼空気本管２６の燃焼空気量が急激に減少した場合、燃焼空気量の減少に伴ってダンパ開度も小さくなっていくが、ダンパ開度が目標開度範囲の下限値を下回った時点で、燃焼空気ブロワ３０の回転数が減少し始め、ダンパ開度が再び目標開度範囲内に入ることがわかる。ダンパ開度が再び目標開度範囲内に入ると、燃焼空気ブロワ３０の回転数は一定となる。
一方、図３（Ｂ）に示すように、燃焼空気本管２６の燃焼空気量が急激に増加した場合、燃焼空気量の増加に伴ってダンパ開度も大きくなっていくが、ダンパ開度が目標開度範囲の上限値を上回った時点で、燃焼空気ブロワ３０の回転数が上昇し始め、ダンパ開度が再び目標開度範囲内に入ることがわかる。図３（Ａ）と同様、ダンパ開度が再び目標開度範囲内に入ると、燃焼空気ブロワ３０の回転数は一定となる。
【００３４】
図４は、制御２に加えて制御３を実行した際の燃焼空気圧力ダンパ２９の開度及び燃焼空気ブロワ３０の回転数の時刻歴変化を示したグラフである。燃焼空気本管２６の燃焼空気量が急激に減少した場合、目標開度範囲内に復帰したダンパ開度は、目標開度範囲の上限値近くまで上昇して安定する（図４（Ａ）参照）。燃焼空気ブロワ３０の回転数は、制御２に比べてさらに低い回転数で安定する。
燃焼空気本管２６の燃焼空気量が急激に増加した場合、目標開度範囲内に復帰したダンパ開度は、燃焼空気量が急激に減少した場合と同様、目標開度範囲の上限値近くまで上昇して安定する（図４（Ｂ）参照）。燃焼空気ブロワ３０の回転数は、上昇した後、減少に転じ、制御２に比べて低い回転数で安定する。
【００３５】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態では、燃焼空気ブロワの上流側に燃焼空気圧力ダンパを配置しているが、燃焼空気ブロワの下流側に燃焼空気圧力ダンパを配置してもよい。また、上記実施の形態では、リジェネバーナを備える加熱炉としたが、バーナの種類や取り付け位置、炉内での鋼材の搬送方法などに関わりなく、また、被加熱対象も材質や形状に関わりなく、鋼材（鋼片）用の加熱炉だけでなく鋼板を加熱する鋼板処理炉など様々な加熱炉に本発明を適用することができる。
【００３６】
なお、本発明は、加熱炉のバーナに供給される燃焼空気の圧力制御方法に関するものであるが、リジェネバーナ加熱炉の燃焼排ガス圧力制御にも適用することができる。
【符号の説明】
【００３７】
１０：加熱炉、１１：リジェネバーナ、１２：蓄熱体、１３：燃料切替弁、１４：燃焼空気切替弁、１５：排ガス切替弁、１６：燃料流量調節弁、１７：燃料流量計、１８：燃料支管、１９：燃焼空気流量調節弁、２０：燃焼空気流量計、２１：燃焼空気支管、２２：排ガス流量調節弁、２３：排ガス流量計、２４：排ガス支管、２５：燃料本管、２６：燃焼空気本管、２７：排ガス本管、２８：燃料圧力調節弁、２９：燃焼空気圧力ダンパ、３０：燃焼空気ブロワ、３１：排ガス圧力ダンパ、３２：排ガス吸引ファン、３３：煙道、３４：煙突、３５：モータ、３６：インバータ盤、３７：圧力発信器、３８：燃焼空気圧力調節計、３９：回転数制御調節計、４０：切替スイッチ、４１：タイマ
【図１】
2013221677.tif 000003
【図２】
2013221677.tif 000004
【図３】
2013221677.tif 000005
【図４】
2013221677.tif 000006